(57)【特許請求の範囲】
【請求項１】
ロール状シートを所要量引き出して切断可能とする多面体のロール状シート収納箱において、
ロール状シートを収納する収納部と、該収納部の天面に設けられて該収納部からシートを引き出すためのシート引き出し口と、該シート引き出し口を開閉する蓋フラップと、該蓋フラップのエッジに成形され、引き出されたシートを切断する切断エッジ部とを有し、
該収納部を手組みにより開閉可能とし、
該収納部の両端面にロール状シートを回転支持可能とする支持片を設け、
該収納部の天面に設けられる天面板の該シート引き出し口側のエッジに沿って折り返した折り返しフラップを設け、
蓋フラップには波形曲線状のミシン目を介して補強フラップが結合され、補強フラップをこのミシン目の継ぎ目鋸刃状谷部で折り曲げて蓋フラップに貼合せ、この貼合せ後のミシン目の切れ目の鋸刃状山部を切断エッジ部とするとともに、この切断エッジ部の形成部分を補強フラップにより補強し、
該蓋フラップと該引き出されたシートの切断後の先端部とを固定する固定部を該天面板に設け、
該蓋フラップの切断エッジ部に切欠き形成され、該引き出されたシートの切断後の先端部を摘み可能とする摘み用凹部とを有してなることを特徴とするロール状シート収納箱。
【請求項２】
前記支持片が前記端面板の中央に切込み形成された舌片を前記収納部内に折込んで起立せしめてなる請求項１記載のロール状シート収納箱。
【請求項３】
前記固定部が前記天面板に切込み形成されたスリットからなる請求項１又は２記載のロール状シート収納箱。
【発明の詳細な説明】
【０００１】
【発明の属する技術分野】
本発明は、タオルペーパー等のロール状シート収納箱に関する。
【０００２】
【従来の技術】
従来、ロール状シートを所要量引き出して切断可能とする多面体のロール状シート収納箱として、実登録第301483号のものがある。この収納箱は、シートを引き出すためのシート引き出し口を天面に設け、引き出されたシートを切断する切断エッジ部を該シート引き出し口のエッジに設けている。
【０００３】
【発明が解決しようとする課題】
然るに、ロール状シート収納箱にあっては、以下の如くが望まれる。
【０００４】
▲１▼収納箱を手組み可能として、ロール状シートを詰め替え可能とすること。
【０００５】
▲２▼ロール状シートを収納箱内で滑らかに回転可能とし、シートをスムースに引き出し可能とすること。
【０００６】
▲３▼シートの引き出される勢いを抑制して、シートを安定的に引き出し可能とすること。
【０００７】
▲４▼収納箱の切断エッジ部形成部分を高強度とし、シートに加える切断力により箱の破損を防止すること。
【０００８】
▲５▼シートを引き出した後、シートの巻き戻りを防止することと、シート引き出し口を安定的に再封止して不使用時の収納箱の衛生と外観を向上すること。
【０００９】
▲６▼シートの次使用時に、シートを容易に摘み出し可能とすること。
【００１０】
本発明の課題は、ロール状シート収納箱において、ロール状シートを詰め替え可能とすること、シートをスムースに且つ安定的に引き出し可能とすること、切断エッジ部まわりの箱強度を向上すること、シートの巻き戻りを防止すること、不使用時の収納箱の衛生と外観を向上すること、シートの次使用時にシートを容易に摘み出し可能とすることを、一挙に達成することにある。
【００１１】
【課題を解決するための手段】
請求項１に記載の本発明は、ロール状シートを所要量引き出して切断可能とする多面体のロール状シート収納箱において、ロール状シートを収納する収納部と、該収納部の天面に設けられて該収納部からシートを引き出すためのシート引き出し口と、該シート引き出し口を開閉する蓋フラップと、該蓋フラップのエッジに成形され、引き出されたシートを切断する切断エッジ部とを有し、該収納部を手組みにより開閉可能とし、該収納部の両端面にロール状シートを回転支持可能とする支持片を設け、該収納部の天面に設けられる天面板の該シート引き出し口側のエッジに沿って折り返した折り返しフラップを設け、蓋フラップには波形曲線状のミシン目を介して補強フラップが結合され、補強フラップをこのミシン目の継ぎ目鋸刃状谷部で折り曲げて蓋フラップに貼合せ、この貼合せ後のミシン目の切れ目の鋸刃状山部を切断エッジ部とするとともに、この切断エッジ部の形成部分を補強フラップにより補強し、該蓋フラップと該引き出されたシートの切断後の先端部とを固定する固定部を該天面板に設け、該蓋フラップの切断エッジ部に切欠き形成され、該引き出されたシートの切断後の先端部を摘み可能とする摘み用凹部とを有してなるようにしたものである。
【００２０】
【発明の実施の形態】
図１は収納箱の開封前状態を示す模式図、図２は収納箱の開封作業状態を示す模式図、図３は収納箱の開封後状態を示す模式図、図４は収納箱からのシート引き出し状態を示す模式図、図５は収納箱のシート切断開始状態を示す模式図、図６は収納箱のシート切断後状態を示す模式図、図７は収納箱の蓋フラップ及びシート固定状態を示す模式図、図８は収納箱の展開図、図９は補強フラップ及び端面板の貼合せ工程を示す模式図、図１０は筒状箱形成状態を示す模式図、図１１はロールセット状態を示す模式図、図１２は端面板折込み状態を示す模式図、図１３は正面板差し込み状態を示す模式図、図１４は背面板折り曲げ状態を示す模式図、図１５は蓋フラップ差し込み状態を示す模式図、図１６は端面板差し込み状態を示す模式図、図１７は天面板の固定部形状変形例を示す模式図である。
【００２１】
ロール状シート収納箱１０は、図１〜図７に示す如く、例えばタオルペーパーのロール状シート１を所要量引き出して切断し、切断されたシート１を清掃等に供することを可能とするものである。
【００２２】
収納箱１０は、図８に示す如く、天面板１１、正面板１２、背面板１３、底面板１４、天面板１１の両側に連結した左右の内側端面板１５、１６、背面板１３の両側に連結した左右の外側端面板１７、１８、背面板１３に連結した蓋フラップ１９、蓋フラップ１９に連結した補強フラップ１９Ａ、天面板１１に連結した折り返しフラップ１１Ａ、正面板１２に連結した差し込みフラップ１２Ａ、内側端面板１５、１６に連結した左右の内フラップ１５Ａ、１６Ａ、内側端面板１６に連結した糊付けフラップ１６Ｂ、外側端面板１７、１８に連結した左右の差し込みフラップ１７Ａ、１８Ａを備えた板紙製直方六面体である。
【００２３】
収納箱１０は、ロール状シート１を収納する収納部２１と、収納部２１の天面に設けられて収納部２１からシート１を引き出すためのシート引き出し口２２と、シート引き出し口２２を開閉する前述の蓋フラップ１９と、蓋フラップ１９のエッジに形成されて引き出されたシート１を切断する鋸刃状（波形曲線状）切断エッジ部２３とを有している。尚、シート引き出し口２２は、収納部２１に収納されたロール状シート１の幅方向に沿う該収納部２１の全幅にわたって設けられる。
【００２４】
然るに、収納箱１０は、下記(1) 〜(6) の特徴点を併せ具備している。
(1) 収納部２１を手組みにより開閉可能としている。即ち、収納箱１０は、後述する組立順序で組み立てられ、特に、(a) 正面板１２と差し込みフラップ１２Ａとを接着剤を用いずに差し込み組立可能とするとともに（図１３）、(b) 背面板１３と蓋フラップ１９とを接着剤を用いずに差し込み組立可能としている（図１４、図１５）。これにより、収納箱１０は、正面板１２と差し込みフラップ１２Ａを繰り返し差し込み開閉し、もしくは背面板１３と蓋フラップ１９を繰り返し差し込み開閉することにより、新旧ロール１Ａを簡易に詰め替え可能としている。
【００２５】
(2) 収納部２１の両端面にロール状シート１を回転支持可能とする左右の支持片３１、３２を設けている。即ち、収納箱１０は、左内側端面板１５の中央部にＨ字状に切込み形成された上下の舌片３１Ａ、３１Ａと、左外側端面板１７の中央部にＨ字状に切込み形成された前後の舌片３１Ｂ、３１Ｂを、収納部２１の内部に向けて押し込むことにて左支持片３１を形成する（図２）。また、収納箱１０は、右内側端面板１６の中央部にＨ字状に切込み形成された上下の舌片３２Ａ、３２Ａと、右外側端面板１８の中央部にＨ字状に切込み形成された前後の舌片３２Ｂ、３２Ｂを、収納部２１の内部に押し込むことにて右支持片３２を形成する。
【００２６】
(3) 収納部２１の天面に設けられる天面板１１のシート引き出し口２２側のミシン目状エッジ２２Ａに沿って折り返した前述の折り返しフラップ１１Ａを有している。折り返しフラップ１１Ａは折り返し前状態への弾発的な上向き復帰習性を備え、収納部２１から引き出されたシート１を上方にガイドし、且つ引き出されるシート１に摺動抵抗を付与する。
【００２７】
(4) 前述の蓋フラップ１９の切断エッジ部２３形成部分まわりに補強フラップ１９Ａを貼合せてある。即ち、蓋フラップ１９は、背面板１３に設けた罫線に沿って形成されるヒンジ３３で折り曲げることにより形成される。また、蓋フラップ１９には波形曲線状（鋸刃状）のミシン目３４を介して補強フラップ１９Ａが結合されており、接着剤を塗布された補強フラップ１９Ａをこのミシン目３４で折り曲げて蓋フラップ１９に貼合せ、この貼合せ後のミシン目３４を上述の切断エッジ部２３とするとともに、この切断エッジ部２３形成部分を補強フラップ１９Ａにより補強することとしている。切断エッジ部２３は、鋸刃状をなす山部２３Ａと谷部２３Ｂを備える。
【００２８】
(5) 蓋フラップ１９と、引き出されたシート１の切断後の先端部とを固定する固定部３５を有している。即ち、天面板１１における正面板１２が連結される罫線寄りの両端寄り 2箇所には、切込み（ミシン目）形成されたスリットからなる固定部３５が設けられる。蓋フラップ１９における切断エッジ部２３の両コーナー部と、シート１の先端部の両コーナー部は、併せて固定部３５のスリットに差し込み固定可能とされる。
【００２９】
尚、天面板１１に設けるスリット状固定部３５は図１７（Ａ）〜（Ｊ）の如くに変形できる。
【００３０】
(6) 蓋フラップ１９の切断エッジ部２３の中央部に摘み用凹部３６が切欠き形成される。摘み用凹部３６は、蓋フラップ１９の裏側に存在する、引き出されたシート１の先端部をあらわにし、この先端部を次引き出しのために容易に摘み出し可能とする。
【００３１】
収納箱１０は以下の如くに使用される。
(1) 図１の開封前状態の収納箱１０に対し、図２に示す如く、左右の外側端面板１７、１８を引き抜き、更に天面板１１の裏側に差し込んである蓋フラップ１９を引き出す。そして、天面板１１に連結している折り返しフラップ１１Ａをミシン目状エッジ２２Ａで折り返す。これにより、収納部２１の天面にシート引き出し口２２を形成する。更に、天面板１１の両端 2箇所のミシン目を押し込み、スリット状固定部３５を作る。
【００３２】
(2) 左内側端面板１５の上下の舌片３１Ａ、３１Ａと、左外側端面板１７の前後の舌片３１Ｂ、３１Ｂを、収納部２１の内部に向けて押し込み、左支持片３１を形成し、収納部２１内のロール状シート１の紙管の左側穴部に押し入れる。右内側端面板１６の上下の舌片３２Ａ、３２Ａと、右外側端面板１８の前後の舌片３２Ｂ、３２Ｂを、収納部２１の内部に向けて押し込み、右支持片３２を形成し、収納部２１内のロール状シート１の紙管の右側穴部に押し入れる。これにより、収納部２１内のロール状シート１を左右の支持片３１、３２により回転可能に支持する（図２、図３）。
【００３３】
(3) 蓋フラップ１９を開いて、収納部２１の天面のシート引き出し口２２からシート１を引き出す（図４）。
【００３４】
(4) 上記(3) によりシート１を所要量引き出した後、引き出されたシート１の中間部を蓋フラップ１９により天面板１１、折り返しフラップ１１Ａとの間に手で押え、シート１の先端部を上に引き上げて該シート１の先端部からの所要長さ部位を切断エッジ部２３で切断する（図５、図６）。
【００３５】
(5) 蓋フラップ１９を、シート１の切断後の先端部とともに、天面板１１のスリット状固定部３５に押し込み固定し、次使用に備える（図７）。次使用時には、シート１の先端部を蓋フラップ１９の摘み用凹部３６に表われている部分から摘み出し可能とする。
【００３６】
以下、収納箱１０の組立工程について説明する。
収納箱１０は、前述の如く、天面板１１、正面板１２、背面板１３、底面板１４、左右の内側端面板１５、１６、左右の外側端面板１７、１８、蓋フラップ１９を罫線（図８の破線）を介して連結している。蓋フラップ１９は前述の如くに補強フラップ１９Ａを備え、天面板１１は前述の如くに折り返しフラップ１１Ａを備え、正面板１２は前述の如くに差し込みフラップ１２Ａを備え、内側端面板１５、１６は前述の如くに内フラップ１５Ａ、１６Ａを備え、内側端面板１６は前述の如くに糊付けフラップ１６Ｂを備え、外側端面板１７、１８は前述の如く差し込みフラップ１７Ａ、１８Ａを備えている。然るに、収納箱１０は、以下の如くに組み立てられる。
【００３７】
(1) 補強フラップ１９Ａの図８に示した斜線部に接着剤を塗布し、蓋フラップ１９の切断エッジ部２３形成部分まわりに補強フラップ１９Ａを貼合せる。
【００３８】
(2) 内側端面板１６の糊付けフラップ１６Ｂの図８に示した斜線部に接着剤を塗布し、底面板１４の裏面に糊付けフラップ１６Ｂを貼合せる（図９）。
【００３９】
(3) 上記(2) の内側端面板１６の糊付けフラップ１６Ｂと底面板１４を貼合せた筒状体を起こして図１０の状態とする。
【００４０】
(4) 上記(3) の正面板１２側の開口部からロール状シート１を挿入する（図１１）。
【００４１】
(5) 左右の内フラップ１５Ａ、１６Ａを折り込む（図１２）。
【００４２】
(6) 正面板１２を折り曲げ、差し込みフラップ１２Ａを差し込む（図１３）。
【００４３】
(7) 背面板１３を折り曲げ、蓋フラップ１９を差し込む（図１４、図１５）。
【００４４】
(8) 左右の外側端面板１７、１８を折り曲げ、それらの差し込みフラップ１７Ａ、１８Ａを差し込み（図１５）、図１６の組立完了状態とする。
【００４５】
以下、本実施形態の作用について説明する。
▲１▼収納箱１０を手組みにより開閉可能としたので、ロール状シート１を容易に詰め替えできる。
【００４６】
▲２▼収納箱１０の両端面にロール状シート１の回転支持片３１、３２を設けたので、ロール状シート１を収納箱１０内で滑らかに回転し、シートをスムースに引き出しできる。
【００４７】
▲３▼収納箱１０の天面板１１のシート引き出し口２２側のエッジに折り返しフラップ１１Ａを設けたので、シートの先端部を摘み易いように上方にガイドし、且つ引き出されるシートに摺動抵抗を及ぼしてシートの引き出される勢いを抑制し、シートを安定的に引き出しできる。
【００４８】
▲４▼収納箱１０の蓋フラップ１９の切断エッジ部形成部分まわりを補強フラップにより補強したので、この部分を高強度化し、シートに加える切断力による箱の破損を防止できる。
【００４９】
▲５▼収納箱１０の天面板１１に、蓋フラップ１９とシートの先端部を固定する固定部３５を設けたので、シートを引き出した後、シートの巻き戻りを防止し、且つシート引き出し口２２を安定的に再封止して不使用時の収納箱１０の衛生（異物侵入防止）と外観（蓋の無秩序な半開き防止）を向上できる。
【００５０】
▲６▼収納箱１０の蓋フラップ１９にシート摘み用凹部３６を設けたので、シートの次使用時に、シートを容易に摘み出しできる。
【００５１】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５２】
【発明の効果】
以上のように本発明によれば、ロール状シート収納箱において、ロール状シートを詰め替え可能とすること、シートをスムースに且つ安定的に引き出し可能とすること、切断エッジ部まわりの箱強度を向上すること、シートの巻き戻りを防止すること、不使用時の収納箱の衛生と外観を向上すること、シートの次使用時にシートを容易に摘み出し可能とすることを、一挙に達成することができる。
【図面の簡単な説明】
【図１】図１は収納箱の開封前状態を示す模式図である。
【図２】図２は収納箱の開封作業状態を示す模式図である。
【図３】図３は収納箱の開封後状態を示す模式図である。
【図４】図４は収納箱からのシート引き出し状態を示す模式図である。
【図５】図５は収納箱のシート切断開始状態を示す模式図である。
【図６】図６は収納箱のシート切断後状態を示す模式図である。
【図７】図７は収納箱の蓋フラップ及びシート固定状態を示す模式図である。
【図８】図８は収納箱の展開図である。
【図９】図９は補強フラップ及び端面板の貼合せ工程を示す模式図である。
【図１０】図１０は筒状箱形成状態を示す模式図である。
【図１１】図１１はロールセット状態を示す模式図である。
【図１２】図１２は端面板折込み状態を示す模式図である。
【図１３】図１３は正面板差し込み状態を示す模式図である。
【図１４】図１４は背面板折り曲げ状態を示す模式図である。
【図１５】図１５は蓋フラップ差し込み状態を示す模式図である。
【図１６】図１６は端面板差し込み状態を示す模式図である。
【図１７】図１７は天面板の固定部形状変形例を示す模式図である。
【符号の説明】
１  ロール状シート
１０  収納箱
１１  天面板
１９  蓋フラップ
１９Ａ  補強フラップ
１１Ａ  折り返しフラップ
２１  収納部
２２  シート引き出し口
２３  切断エッジ部
３１、３２  支持片
３５  固定部
３６  摘み用凹部
【図１】
0003675588.tif 000002
【図２】
0003675588.tif 000003
【図３】
0003675588.tif 000004
【図４】
0003675588.tif 000005
【図５】
0003675588.tif 000006
【図６】
0003675588.tif 000007
【図７】
0003675588.tif 000008
【図８】
0003675588.tif 000009
【図９】
0003675588.tif 000010
【図１０】
0003675588.tif 000011
【図１１】
0003675588.tif 000012
【図１２】
0003675588.tif 000013
【図１３】
0003675588.tif 000014
【図１４】
0003675588.tif 000015
【図１５】
0003675588.tif 000016
【図１６】
0003675588.tif 000017
【図１７】
0003675588.tif 000018